(57)【要約】      （修正有）【課題】ズボン掛け部を上揺動させることで、ズボン等をズボン掛け部にスムーズに掛けることができる衣服用ハンガーを提供する。【解決手段】フック部２と、上着の肩部を掛ける左右の肩掛け部３と、各肩掛け部の外端部から内側方に略水平状態でそれぞれ延在し、ズボン等を掛ける左右のズボン掛け部４とでなる衣服用ハンガー１である。各ズボン掛け部は、対向する先端部の間にスリット６が形成されるとともに、各外端部は、各肩掛け部の外端部にヒンジ結合されて、各ズボン掛け部は、対応する各肩掛け部の内面に沿うように上揺動可能である。【選択図】図２
0003188161.tif 000002
【実用新案登録請求の範囲】
【請求項１】
フック部と、前記フック部の下端部から外側方にそれぞれ延在し、上着の肩部を掛ける左右の肩掛け部と、前記各肩掛け部の外端部から内側方に略水平状態でそれぞれ延在し、ズボン等を掛ける左右のズボン掛け部とでなる衣服用ハンガーにおいて、
前記各ズボン掛け部は、対向する先端部の間にスリットが形成されるとともに、各外端部は、前記各肩掛け部の外端部にヒンジ結合されて、前記各ズボン掛け部は、対応する前記各肩掛け部の内面に沿うように上揺動可能であることを特徴とする衣服用ハンガー。
【請求項２】
前記各肩掛け部の内端部は、前記フック部の下端部にヒンジ結合されて、前記各肩掛け部は、前記フック部に沿うように上揺動可能であることを特徴とする請求項１に記載の衣服用ハンガー。
【請求項３】
前記各肩掛け部の上下面に長穴が形成され、前記各肩掛け部を前記フック部に沿うように上揺動させたとき、前記フック部の側部が前記各長穴に嵌め込まれるとともに、前記各長穴には、嵌め込まれた前記フック部の側部を仮係止可能な仮係止突起が形成されていることを特徴とする請求項２に記載の衣服用ハンガー。
【考案の詳細な説明】
【技術分野】
【０００１】
本考案は、衣服用ハンガーに関する。
【背景技術】
【０００２】
従来、図６（ａ）のように、衣服用ハンガーとして、フック部２０と、フック部２０の下端部から外側方にそれぞれ延在し、上着の肩部を掛ける左右の肩掛け部２１が設けられている。
【０００３】
また、各肩掛け部２１の外端部から内側方にそれぞれ延在し、ズボン（若しくはスカート）等２５を掛ける左右のズボン掛け部２２が設けられている。
【０００４】
さらに、各ズボン掛け部２２は、対向する先端部の間にスリット（隙間）２３が形成されている（特許文献１参照）。
【０００５】
そして、矢印のように、スリット２３を通してズボン等２５をズボン掛け部２２に掛けるようにしたものである。なお、スリット２３の幅Ｗ１が広いほどズボン等２５を掛けやすいが、掛けたズボン等２５がスリット２３からずり落ちやすいので、幅Ｗ１を広くするにも限界がある。
【０００６】
また、図６（ｂ）のように、スリット２３を塞ぐ回転部２４を設けて、この回転部２４を下揺動させることで、スリット２３を開くようにしたものも提案されている。
【先行技術文献】
【特許文献】
【０００７】
【特許文献１】特開平８−１９１７４９号公報
【考案の概要】
【考案が解決しようとする課題】
【０００８】
しかしながら、背景技術では、回転部２４の下揺動でスリット２３を単に開閉するだけであり、スリット２３の幅Ｗ１が大きく広がるものではないから、ズボン等２５をズボン掛け部２２にスムーズに掛けにくいという問題があった。
【０００９】
本考案は、前記問題を解消するためになされたもので、ズボン掛け部を上揺動させることで、ズボン等をズボン掛け部にスムーズに掛けることができる衣服用ハンガーを提供することを目的とするものである。
【課題を解決するための手段】
【００１０】
前記課題を解決するために、本考案は、フック部と、前記フック部の下端部から外側方にそれぞれ延在し、上着の肩部を掛ける左右の肩掛け部を有している。また、前記各肩掛け部の外端部から内側方に略水平状態でそれぞれ延在し、ズボン等を掛ける左右のズボン掛け部を有している衣服用ハンガーである。前記各ズボン掛け部は、対向する先端部の間にスリットが形成されている。また、前記各ズボン掛け部の各外端部は、前記各肩掛け部の外端部にヒンジ結合されて、前記各ズボン掛け部は、対応する前記各肩掛け部の内面に沿うように上揺動可能であることを特徴とするものである。
【００１１】
本考案によれば、対向する先端部の間にスリットが形成される各ズボン掛け部は、ヒンジ結合された各肩掛け部の内面に沿うように上揺動可能である。
【００１２】
したがって、例えば、２つ折りしたズボン等の他側部分を指で摘んだ状態で、摘んだ指の手の甲等で、他側のズボン掛け部を上揺動させて、一側のズボン掛け部にズボン等の一側半分を掛けながら、他側半分も軽く押し入れる。
【００１３】
次いで、他側のズボン掛け部から手の甲等を外して、他側のズボン掛け部が自重で下揺動すると、今度は、一側のズボン掛け部の方に押し入れたズボン等の他側半分を他側のズボン掛け部の方にずらせる。このようにして、一側と他側のズボン掛け部に片手でもズボン等をスムーズに掛けることができる。
【００１４】
また、肩掛け部に上着が掛かった状態であっても、肩掛け部から上着を取り外すことなく、ズボン掛け部にズボン等を掛けることができ、ズボン掛け部からズボン等を取り出すことができる。
【００１５】
前記各肩掛け部の内端部は、前記フック部の下端部にヒンジ結合されて、前記各肩掛け部は、前記フック部に沿うように上揺動可能である構成とすることができる。
【００１６】
この構成によれば、各肩掛け部は、ヒンジ結合されたフック部に沿うように上揺動可能であるから、各肩掛け部をフック部に沿って折り畳むことができる。同時に、各ズボン掛け部は、ヒンジ結合された各肩掛け部の内面に沿うように自重で揺動可能するから、各ズボン掛け部も各肩掛け部の内面に沿って折り畳むことができる。
【００１７】
このように、各肩掛け部と各ズボン掛け部とをフック部に沿って２つ折り状態でコンパクトに折り畳むことができるから、携帯や収納に便利になる。
【００１８】
前記各肩掛け部の上下面に長穴が形成され、前記各肩掛け部を前記フック部に沿うように上揺動させたとき、前記フック部の側部が前記各長穴に嵌め込まれる。また、前記各長穴には、嵌め込まれた前記フック部の側部を仮係止可能な仮係止突起が形成されている構成とすることができる。
【００１９】
この構成によれば、各肩掛け部をフック部に沿うように上揺動させたとき、フック部の側部が各肩掛け部の長穴に嵌め込まれることで、フック部に対して各肩掛け部をよりコンパクトに折り畳むことができる。
【００２０】
また、各肩掛け部の長穴に嵌め込まれた状態で、フック部の側部が長穴の仮係止突起で仮係止されるようになるから、各肩掛け部が自重で下揺動して元の位置に復帰しなくなるので、コンパクトな折り畳み状態を維持することができる。
【考案の効果】
【００２１】
本考案によれば、ズボン掛け部を上揺動させることで、ズボン等をズボン掛け部にスムーズに掛けることができる
【図面の簡単な説明】
【００２２】
【図１】本考案に係る衣服用ハンガーであり、（ａ）は展開状態の斜視図、（ｂ）は折り畳み状態の斜視図である。
【図２】図１の衣服用ハンガーの展開状態の要部断面正面図である。
【図３】図１の衣服用ハンガーの折り畳み状態の要部断面正面図である。
【図４】（ａ）はフック部の正面図、（ｂ）は（ａ）の側面図、（ｃ）はフックブラケットの平面図、（ｄ）は（ｃ）の要部断面正面図である。
【図５】（ａ）は肩掛け部の平面図、（ｂ）は（ａ）の正面断面図、（ｃ）はズボン掛け部の平面図、（ｄ）は（ｃ）の正面図である。
【図６】背景技術の衣服用ハンガーであり、（ａ）は斜視図、（ｂ）は回転部を設けたタイプの斜視図である。
【考案を実施するための形態】
【００２３】
以下、本考案を実施するための形態について、図面を参照しながら詳細に説明する。図１は衣服用ハンガー１であり、（ａ）は展開（使用）状態の斜視図、（ｂ）は折り畳み状態の斜視図である。図２は図１の衣服用ハンガー１の展開状態の要部断面正面図である。図３は図１の衣服用ハンガー１の折り畳み状態の要部断面正面図である。
【００２４】
衣服用ハンガー１は、フック部２と左右の肩掛け部３と左右のズボン掛け部４とで構成され、それぞれ硬質で軽量な合成樹脂製である。
【００２５】
フック部２は、図４（ａ）（ｂ）のように、上部２ａが鉤状に湾曲され、下部には差し込み軸部２ｂが設けられている。この差し込み軸部２ｂには切り込み２ｃが形成されて、差し込み軸部２ｂを直径方向の内方に撓み可能にしている。
【００２６】
フック部２のフックブラケット５は、図４（ｃ）（ｄ）のように、フック部２の差し込み軸部２ｂを差し込み可能な差し込み穴５ａを有し、その左右の凸部５ｄの側面には、ヒンジ用穴５ｂが貫通状態で形成されている。この左右の凸部５ｄの端面は、ストッパー面５ｃに形成されている。
【００２７】
そして、フック部２の差し込み軸部２ｂを内方に撓ませながら差し込み穴５ａに上方から差し込むことで、頭部２ｄが差し込み穴５ａの内端縁５ｅに係止されて、フック部２にフックブラケット５が抜け止め状態で連結されるようになる。このフックブラケット５は、フック部２の下端部を構成する。また、フック部２の差し込み軸部２ｂは、フックブラケット５の差し込み穴５ａに対して、切り込み２ｃによるフリクションを伴いながら回動位置を変えることができる。
【００２８】
左右の肩掛け部３は、左右対称形状であり、図５（ａ）（ｂ）の左側の肩掛け部３のみを説明し、右側の肩掛け部３の説明を省略する。左側の肩掛け部３の内（右）端部には、フックブラケット５の左側の凸部５ｄに嵌まり合う凹部３ａが形成されている。この凹部３ａの内側面には、この凹部３ａを外方に撓ませながら、凸部５ｄのヒンジ用穴５ｂに両側面から係合するヒンジ軸部３ｂがそれぞれ形成されている。この凹部３ａの底面は、ストッパー面３ｃに形成されている。
【００２９】
したがって、フックブラケット５の凸部５ｄに肩掛け部３の内端部の凹部３ａを嵌め合いながら、ヒンジ用穴５ｂにヒンジ軸部３ｂを係合させることで、肩掛け部３はフック部２に沿うように上揺動可能（図２の矢印ａ参照）にヒンジ結合されるようになる。
【００３０】
また、肩掛け部３を下揺動させたときには、ストッパー面３ｃがフックブラケット５のストッパー面５ｃに当接することで、肩掛け部３は、斜め下向き傾斜した定位置（図２の状態）に保持されるようになる。
【００３１】
肩掛け部３の上下面に貫通する長穴３ｄが形成され、長穴３ｄの内面の長さ方向の略中間位置は、補強ブリッジ部３ｅで連結されている。補強ブリッジ部３ｅの右側の長穴３ｄの内面には楕円状の仮係止突起３ｆがそれぞれ形成されている。
【００３２】
したがって、肩掛け部３をフック部２に沿うように上揺動させたとき、フック部２の側部が長穴３ｄに嵌め込まれるとともに、嵌め込まれたフック部２の側部が仮係止突起３ｆを乗り越えて仮係止されるようになる（図３の状態）。
【００３３】
補強ブリッジ部３ｅの外（左）側の長穴３ｄの内面はヒンジ軸部３ｇで連結され、長穴３ｄの外側の端面は、ストッパー面３ｈに形成されている。
【００３４】
左右のズボン掛け部４は、左右対称形状であり、図５（ｃ）（ｄ）の左側のズボン掛け部４のみを説明し、右側のズボン掛け部４の説明を省略する。左側のズボン掛け部４の外（左）端部には、肩掛け部３のヒンジ軸部３ｇに上方から無理嵌めさせるヒンジ用凹部４ａが形成され、このズボン掛け部４の外（左）端部の外面は、ストッパー面４ｂに形成されている。
【００３５】
肩掛け部３のヒンジ軸部３ｇにズボン掛け部４のヒンジ用凹部４ａを無理嵌めすることで、ズボン掛け部４は肩掛け部３の内面に沿うように上揺動可能（図２の矢印ｂと二点鎖線参照）にヒンジ結合されるようになる。
【００３６】
また、ズボン掛け部４を下揺動させたときには、ストッパー面４ｂが肩掛け部３のストッパー面３ｈに当接することで、ズボン掛け部４は、僅かに斜め上向き傾斜した定位置に保持されるようになる。ズボン掛け部４の定位置を斜め上向き傾斜した状態としたのは、ズボン等２５を掛けると、ズボン等２５の重量でズボン掛け部４は下方向に撓むので、この撓んだ状態で、ズボン掛け部４を略水平状態に維持できるようにするためである。
【００３７】
左右のズボン掛け部４は、対向する先端部の間にスリット６が形成されるように、その長さが設定されるが、このスリット６の幅Ｗ２は、左右のズボン掛け部４の対向する先端部同士が当たらない程度の僅かな空隙であっても差し支えはない。すなわち、本実施形態の衣服用ハンガー１では、背景技術のように、スリット６を通してズボン等２５（図６参照）をズボン掛け部４に掛けることを意図していないからである。
【００３８】
前記のような衣服用ハンガー１であれば、対向する先端部の間にスリット６が形成される各ズボン掛け部４は、ヒンジ結合された各肩掛け部３の内面に沿うように上揺動可能である。
【００３９】
したがって、例えば、２つ折りしたズボン等２５の右側部分を指で摘んだ状態で、摘んだ指の手の甲等で右側のズボン掛け部４を上揺動させて、左側のズボン掛け部４にズボン等２５の左半分を掛けながら、右半分も軽く押し入れる。
【００４０】
次いで、右側のズボン掛け部４から手の甲等を外して、右側のズボン掛け部４が自重で下揺動すると、今度は、左側のズボン掛け部４の方に押し入れたズボン等２５の右半分を右側のズボン掛け部４の方にずらせる。このようにして、左右のズボン掛け部４に片手でもズボン等２５をスムーズに掛けることができる。
【００４１】
ズボン掛け部４に掛けたズボン等２５を取り出すには、ズボン等２５の手前側の折り返し部分を手前に引けば、ズボン掛け部４から引き出すように取り出すことができる。
【００４２】
また、スリット６の付近のズボン等２５の折り返し部分を指で摘んで、スリット６の間を通すように手前に引けば、スリット６から引き出すように取り出すことができる。ズボン等２５の掛け方、取り出し方は、前述の手順に限られるものではない。
【００４３】
そして、肩掛け部３に上着が掛かった状態であっても、肩掛け部３から上着を取り外すことなく、ズボン掛け部４にズボン等２５を掛けることができ、ズボン掛け部４からズボン等２５を取り出すことができる。
【００４４】
また、左右の肩掛け部３は、ヒンジ結合されたフック部２に沿うように上揺動可能であるから、左右の肩掛け部４をフック部２に沿って折り畳むことができる。同時に、左右のズボン掛け部４は、ヒンジ結合された左右の肩掛け部３の内面に沿うように自重で揺動可能するから、左右のズボン掛け部４も左右の肩掛け部３の内面に沿って折り畳むことができる。
【００４５】
このように図１の展開状態から図２の折り畳み状態のように、各肩掛け部３と各ズボン掛け部４とをフック部２に沿って２つ折り状態でコンパクトに折り畳むことができるから、携帯や収納に便利になる。
【００４６】
さらに、各肩掛け部３をフック部２に沿うように上揺動させたとき、フック部２の側部が各肩掛け部３の長穴３ｄに嵌め込まれることで、フック部２に対して各肩掛け部３をよりコンパクトに折り畳むことができる。
【００４７】
また、各肩掛け部３の長穴３ｄに嵌め込まれた状態で、フック部２の側部が長穴３ｄの仮係止突起３ｆで仮係止されるようになるから、各肩掛け部３が自重で下揺動して元の位置に復帰しなくなるので、コンパクトな折り畳み状態を維持することができる。
【符号の説明】
【００４８】
１    衣服用ハンガー
２    フック部
３    肩掛け部
３ａ  ヒンジ軸部
３ｄ  長穴
３ｆ  仮係止突起
３ｇ  ヒンジ軸部
４    ズボン掛け部
４ａ  ヒンジ用凹部
５    フックブラケット（フック部の下端部）
５ｂ  ヒンジ用穴
６    スリット
２５  ズボン等
【図１】
0003188161.tif 000003
【図２】
0003188161.tif 000004
【図３】
0003188161.tif 000005
【図４】
0003188161.tif 000006
【図５】
0003188161.tif 000007
【図６】
0003188161.tif 000008